(57)【要約】【課題】しゃもじなどの調理器具やスプーンなどの食器は、調理器具付属や専用器具や食器に仮置きして使用するが、利便性や衛生面の課題がある。簡便に仮置きできる先行技術が提案されているが、柄の形状による使用制限や使用場所の制限などがある。使用中の筆記具は、机上に仮置きすると床に落としたり他の文房具や書籍にまぎれて見失うなどの不具合が発生する。筆立てに仮置きすると、他の筆記具に混じって探す手間が面倒になる。本発明は、調理器具・食器・文房具などの長細い器具の仮置き時の利便性の向上と先行技術の課題を解消した回転体式仮置き具を提供する。【解決手段】弾性状表面の回転部材を近接して並べて設置した弾性横部材を、横部材固定支柱に縦方向に近接して並べて設置し、吸盤部材又は磁石部材に接続した基盤部材上に、横部材固定支柱を弾性状表面の回転体を近接して向かい合わせて配置し、横部材固定支柱を基盤部材に固定した回転体式仮置き具。【選択図】図１
2014046685.tif 000002
【特許請求の範囲】
【請求項１】
弾性状表面の回転部材を横方向に２個並べて設置した弾性横部材を、横部材固定支柱に縦方向に２本並べて設置し、吸盤部材を接続した基盤部材に、弾性状表面の回転部材を向かい合わせにして２本の横部材固定支柱を基盤部材に固定した回転体式仮置き具。
【請求項２】
弾性状表面の回転部材を横方向に２個並べて設置した弾性横部材を、横部材固定支柱に縦方向に２本並べて設置し、磁石部材を接続した基盤部材に、弾性状表面の回転部材を向かい合わせにして２本の横部材固定支柱を基盤部材に固定した回転体式仮置き具。
【請求項３】
弾性状表面の回転部材を横方向に複数個並べて設置した弾性横部材を、横部材固定支柱に縦方向に複数本並べて設置し、吸盤部材を接続した基盤部材に、弾性状表面の回転部材を向かい合わせにして複数本の横部材固定支柱を基盤部材に固定した回転体式仮置き具。
【請求項４】
弾性状表面の回転部材を横方向に複数個並べて設置した弾性横部材を、横部材固定支柱に縦方向に複数本並べて設置し、磁石部材を接続した基盤部材に、弾性状表面の回転部材を向かい合わせにして複数本の横部材固定支柱を基盤部材に固定した回転体式仮置き具。
【発明の詳細な説明】
【技術分野】
【０００１】本発明は、鉛筆やしゃもじやスプーンなど、細長い形状の文房具・調理器具・食器を仮置きする回転体式仮置き具に関するものである。
【背景技術】
【０００２】しゃもじなどの調理器具やスプーンなどの食器を仮置きする場合は、炊飯器や鍋付属の収納器具に置くか、専用の収納器具や食器などに仮置きしている。
炊飯器や鍋付属の収納器具を使用する場合は、形状や置く場所や置き方などの使用制限があり不便である。専用の収納器具や食器を使用した場合は、付着した食品を洗浄する手間が発生する。
使用中の筆記具は筆立てに戻すか机上に仮置きするのが一般的である。
机に仮置きすると、床に落としたり他の文房具や書籍にまぎれて見失うなどがある。
筆立てに仮置きすると、多くの筆記具の中に混じるので探す手間が面倒である。
そのような不具合を改善する為に、しゃもじや文房具の仮置き具や収納器具の先行技術が提案されている。
以下に先行技術文献毎の概要を説明する。
特許文献１のしゃもじ立ては、しゃもじ専用の仮置き具である。しゃもじの柄を器具に差し入れて使用する。
器具にしゃもじの柄を入れて縦置きし、器具をつけたまま使用できる。
特許文献２の磁石付きしゃもじは、あらかじめ炊飯器本体につけたマグネット用補助板に仮置きする。炊飯器本体のマグネット用補助板に、しゃもじの柄につけた磁石を吸着させる。
特許文献３の鍋用の箸、しゃもじなどの仮置き器具は、鍋の左右の把手の片方に取付けて使用する。把手に挟んだ仮置き具には、箸としゃもじを差し入れる箸用支持部としゃもじ用支持部が付いている。
特許文献４の剣山型ペン立ては、方形または円形の板に複数本の柔軟性を持った棒を垂直に配置している。鉛筆や定規などの長細い文房具を棒の間に差し入れて使用する。
垂直方向と水平方向から文房具を差し入れることが可能である。
特許文献５の鉛筆立ては、鉛筆削り付きの蓋が付いた筒状の容器である。
通常の円筒形の筆立てに蓋がついている形状なので持ち運びが可能である。
特許文献６の扇形多段式筆立ては、縦仕切りと横仕切りで分けた場所に筆記具を差し入れる筆立てである。筆記具を整然と並べて立てられる。
特許文献７の向きが変えられる筆立ては、筆入れ容器の向きを縦方向に変えられる。
筆記具の先端を取りやすい角度に傾けて使用できる筆立てである。
特許文献８のペン立ては、油性特殊粘土でつくられたインクを使うペン専用の筆立てである。
特許文献９の回転筆立ては、短い円筒形の本体に複数の筆立て孔を持ち、円筒形の中心を軸として回転する筆立てである。
実用新案文献１の炊飯器用しゃもじ立ては、しゃもじの柄部分を外に出して扁平な先端部を収納する構造のしゃもじ専用の仮置き具である。
仮置き具側面の吸盤を使用して、炊飯器に設置して使用する。
実用新案文献２の飯杓子ホルダーは、吸盤を付けた短い円環体を炊飯器の側面に吸着させ、円環体の穴にしゃもじを差し入れて使用する仮置き具である。
実用新案文献３の鍋蓋上用お玉受置き具は、しゃもじやお玉の柄を載せる器具に吸盤を付けた仮置き具である。炊飯器や鍋の蓋に吸着して使用する。
実用新案文献４のスタンド付ご飯しゃもじは、逆Ｌ形状のスタンドとスタンドに仮置きできる形状のしゃもじの組み合わせである。
実用新案文献５のペン立ては、複数の筆立て筒を正方形の本体にまとめた形状で、縦方向に回転させて筆立て開口部の向きを変えることができる。
実用新案文献６の筆立ては、長さが異なる２つの円筒形の筆立てを連結し、長い円筒形には筆記具を短い円筒形には文房具を収納する筆立てである。
【先行技術文献】
【特許文献】
【０００３】
【特許文献１】特許公開  ２００９−２１３８３４  しゃもじ立て
【特許文献２】特許公開  平１１−３０９０７４  磁石付きしゃもじ
【特許文献３】特許公開  平８−２２４１７９  鍋用の箸、しゃもじなどの仮置き器具
【特許文献４】特許公開  ２００８−１４９６９３  剣山型ペン立て
【特許文献５】特許公開  ２００１−３２２３８９  鉛筆立て
【特許文献６】特許公開  ２０００−３４３８８７  扇形多段式筆立て
【特許文献７】特許公開  平１０−３３７９９０  向きが変えられる筆立て
【特許文献８】特許公開  ２００５−２３１２７７  ペン立て
【特許文献９】特許公開２００３−２７６３９６  回転筆立て
【実用新案文献】
【０００４】
【実用新案文献１】
実用新案  平３−９７３６４  炊飯器用しゃもじ立て
【実用新案文献２】
実用新案  ３０７５１１５  飯杓子ホルダー
【実用新案文献３】
実用新案公開  平０６−０１３７４２  鍋蓋上用お玉受置き具
【実用新案文献４】
実用新案  第３１３１７９７号  スタンド付ご飯しゃもじ
【実用新案文献５】
登録実用新案第３００４３４３号  ペン立て
【実用新案文献６】
実用新案公開平５−０９５７８３  筆立て
【発明の概要】
【発明が解決しようとする課題】
【０００５】特許文献１  しゃもじ立ての課題は、仮置き具の挿入口形状に整合したしゃもじ以外の調理器具や食器の仮置きはできないこと、横方向への仮置きや垂直面に設置して使用できないことなどである。
また、しゃもじを安定して縦置きできる重量の器具を、しゃもじの柄に付けて使用するのは実用性に劣る。
特許文献２  磁石付きしゃもじの課題は、炊飯器としゃもじの柄に磁石を付けなければ使用できないことである。しゃもじの洗浄時に発生する磁石の着脱の煩雑さや、磁石を付けた炊飯器以外での仮置きはできないことから利便性に劣る。
特許文献３  鍋用の箸、しゃもじなどの仮置き器具の課題は、調理器具の形状に合わせて仮置き器具の装着部形状を作る必要があることである。構造が複雑であることから、製作面や使用面から実用性に劣る。横方向に仮置きすることはできない。
特許文献４  剣山型ペン立ての課題は、垂直に立てた棒の間隔より細い文房具の使用はできないことである。柔軟性のある棒の弾力性と表面摩擦力と間隔により、差し入れる文房具の厚みが制限される。垂直面に設置して使用できないことや、文房具の厚みにより出し入れが困難になる不具合もある。
特許文献５  鉛筆立ての課題として、仮置きすると使用中の筆記具と他の筆記具と混在してしまう不具合がある。使用中の鉛筆の仮置きでは、一般的な円筒形の筆立てと同様の使い方になる。
垂直面に設置して使用できないことや横方向に仮置きできないなど利便性に劣る。
特許文献６  扇形多段式筆立ての課題は、持ち運びに不便なことや垂直面に設置して使用できないこと、そして横方向に仮置きできないことである。
使用中の筆記具の仮置き具としては利便性に劣る。
特許文献７  向きが変えられる筆立ての課題は、一般的な筆立てと同じく使用中の筆記具と他の筆記具が混在することから使用中の仮置き具としては利便性に劣る。横方向への仮置きや垂直面に設置して使用できないので利便性に劣る。
特許文献８  ペン立ての課題として、孔の先端形状が制限されている筆立てであり、先端形状が異なる筆記具は使用出来ないことである。横方向への仮置きや垂直面に設置して使用できないことから利便性に劣る。
特許文献９  回転筆立ての課題は、孔に整合する太さの筆記具だけの使用に限られることである。横方向への仮置きや、垂直面に設置して使用できないことから利便性に劣る。
実用新案文献１  炊飯器用しゃもじ立ての課題は、使用後は器具に付着した食品を洗浄する必要があることである。溝形状の収納部により洗浄が煩雑なため実用性に劣る。横方向への仮置きや垂直面に設置して使用できないことから利便性に劣る。
実用新案文献２  飯杓子ホルダーの課題は、炊飯器に装着して使用するしゃもじ専用の仮置き具であることである。
実用新案文献３  鍋蓋上用お玉受置き具の課題は、しゃもじやお玉の先端が鍋や炊飯器と接触するため、使用後に炊飯器や鍋の蓋を洗浄しなければならないことである。
縦方向への仮置きや垂直面に設置してできないことから利便性に劣る。
実用新案文献４  スタンド付ご飯しゃもじの課題は、逆Ｌ形の仮置き具専用のしゃもじだけの使用に限られることである。一般形状のしゃもじの使用はできないので実用性に劣る。
横方向への仮置きや垂直面に設置して使用できないことから利便性に劣る。
実用新案文献５  ペン立ての課題は、複数の筆記具を整理して収納する目的の器具であり、使用中の筆記具の仮置き具としては使用感に劣ることである。
横方向への仮置きや垂直面に設置して使用できないことから利便性に劣る。
実用新案文献６  筆立ての課題は、一般的な筆立てと文房具小物を収納する目的の筆立てのため、使用中の筆記具の仮置き具としては使用感に劣ることである。
横方向への仮置きや垂直面に設置して使用できないことから利便性に劣る。
本発明は、以上の問題点を解決するものである。
【課題を解決するための手段】
【０００６】弾性状表面の回転部材を近接して並べて設置した弾性横部材を、横部材固定支柱に縦方向に近接して並べて設置し、吸盤部材又は磁石部材に接続した基盤部材上に、弾性状表面の回転体を近接して向かい合わせて横部材固定支柱を配置し、横部材固定支柱を基盤部材に固定する。
以上の構成よりなる回転体式仮置き具
【発明の効果】
【０００７】（イ）本発明は弾性状表面の回転部材と弾性横部材の弾性力で、長細い柄の調理器具や食器や文房具の形状に柔軟に対応して支持する技術で、筆記具や調理器具の柄の形状で使用制限される特許文献１・３・４・８・９と実用新案文献１・４・５の課題を解消する。
（ロ）本発明は弾性状表面の回転部材と弾性横部材の弾性による支持力と、平滑な水平面と垂直面に設置可能な吸盤部材の吸着力で、水平面や水平方向だけの設置使用に限られる特許文献１・４・５・６・７・８・９と実用新案文献１・３・４・５・６の課題を解消する。
（ハ）本発明は弾性状表面の回転部材と弾性横部材の弾性による支持力と、磁性体の水平面と垂直面に設置可能な磁石部材の吸着力で、水平面や水平方向だけの設置使用に限られる特許文献１・４・５・６・７・８・９と実用新案文献１・３・４・５・６の課題を解消する。
（ニ）本発明は弾性状表面の回転部材を回転させて筆記具や調理器具の柄の出し入れを円滑にし、垂直方向と水平方向から入れられた筆記具や調理器具の柄を支持することで縦置きと横置きが可能となり、特許文献１・３・５・６・７・８・９と実用新案文献１・２・３・４・５・６の縦置きや横置きのみに限られる課題を解消する。
（ホ）本発明は仮置きする調理器具や食器の柄の部分を支持する技術により、実用新案文献１の課題の仮置き具使用後に発生する洗浄の必要性を解消する。
【図面の簡単な説明】
【０００８】
【図１】２列２段の回転体式仮置き具に垂直に筆記具を仮置きした状態を示す参考図
【図２】２列２段の回転体式仮置き具に水平に筆記具を仮置きした状態を示す参考図
【図３】２列２段の回転体式仮置き具の正面図
【図４】２列２段の回転体式仮置き具の側面図
【図５】２列２段の回転体式仮置き具の平面図
【発明を実施するための形態】
【０００９】（イ）弾性状表面の回転体（１）は、球・欠球・旋転楕円体・欠楕円体・円柱などの形状で、環境的に安全で弾性力と表面摩擦力もつ一般的な材質を用いる。
（ロ）弾性横部材（３）は、仮置きする物の厚みで撓む柔軟性と、仮置きする物を支持する弾性力をもつ環境的に安全な一般的な材質を用いる。
（ハ）軸部材（２）・横部材固定支柱（４）・基盤部材（５）・軸固定具（８）・横部材固定具（９）は、剛性を備えた環境的に安全な一般的な材質を用いる。
（ニ）吸盤部材（６）は、吸着性に優れた環境的に安全な一般的な材質を用いる。
（ホ）磁石部材（７）は、吸着性に優れた環境的に安全な一般的な材質を用いる。
（ヘ）弾性状表面の回転体（１）に軸部材（２）を設置して、弾性状表面の回転体（１）を弾性横部材（３）に近接して２個又は複数個並べて配置し、軸部材（２）と弾性横部材（３）を軸固定具（８）で連結する。
（ト）弾性横部材（３）を横部材固定支柱（４）に縦方向に近接して２本又は複数本並べて配置し、弾性横部材（３）と横部材固定支柱（４）を横部材固定具（９）で連結する。
（チ）吸盤部材（６）又は磁石部材（７）に基盤部材（５）を接続する。
（リ）基盤部材（５）上に横部材固定支柱（４）を、弾性状表面の回転体（１）を向かい合わせに近接して２本又は複数本配置し、横部材固定支柱（４）を基盤部材（５）に固定する。
本発明は以上のような構造である。
筆記具や調理器具やスプーンなどの食器の柄の厚みに合わせて、弾性状表面の回転体（１）の横方向の間隔を調整し軸固定具（７）を固定する。
筆記具や調理器具やスプーンなどの食器の柄の長さに合わせて、弾性横部材（３）の縦方向の間隔を調整し横部材固定具（８）を固定する。
回転体式仮置き具の吸盤部材（６）を平滑な水平面や垂直面に吸着固定する、又は回転体式仮置き具の磁石部材（７）を磁性体の水平面や垂直面に吸着固定する。
縦方向に仮置きする場合は、筆記具や調理器具の柄やスプーンなどの食器の柄を、回転体式仮置き具の上面方向から弾性状表面の回転体（１）の間に挿入する。
弾性状表面の回転体（１）の回転で円滑な挿入を実現し、弾性状表面の回転体（１）と弾性横部材（３）の弾性力で、挿入した筆記具・調理器具の柄・スプーンなどの食器の柄を支持する。（図１参照）
横方向に仮置きする場合は、筆記具や調理器具の柄やスプーンなどの食器の柄を、回転体式仮置き具の側面方向から弾性状表面の回転体（１）の間に挿入する。
弾性状表面の回転体（１）の回転で円滑な挿入を実現し、弾性状表面の回転体（１）と弾性横部材（３）の弾性力で挿入した筆記具・調理器具の柄・スプーンなどの食器の柄を支持する。（図２参照）
仮置きした物は掴んで引けば、弾性状表面の回転体（１）が回転して円滑に手に取れる。
【符号の説明】
【０００１０】１弾性状表面の回転体
２軸部材
３弾性横部材
４横部材固定支柱
５基盤部材
６吸盤部材
７磁石部材
８軸固定具
９横部材固定具
１０仮置き（例  筆記具等）
【図１】
2014046685.tif 000003
【図２】
2014046685.tif 000004
【図３】
2014046685.tif 000005
【図４】
2014046685.tif 000006
【図５】
2014046685.tif 000007